(57)【要約】【課題】本発明は、煩雑な準備を必要とせず、保守作業中に部品及び工具等が落下することを防止できるエレベーター保守作業用の小物受け具を提供することを目的とする。【解決手段】本発明に係るエレベーター保守作業用の小物受け具９は、袋状に形成され、上部開口２０を有し、上部開口２０が保守作業者の頭部よりも下方且つ当該保守作業者の胴体よりも前方に位置する状態で当該保守作業者の体に支持される回収部１０を備えたものである。【選択図】図２
2018020857.tif 000002
【特許請求の範囲】
【請求項１】
袋状に形成され、上部開口を有し、前記上部開口が保守作業者の頭部よりも下方且つ当該保守作業者の胴体よりも前方に位置する状態で当該保守作業者の体に支持される回収部を備えたエレベーター保守作業用の小物受け具。
【請求項２】
保守作業者の腰に装着されるベルトと、
一端部に前記回収部が固定され、他端部が前記ベルトに取り付けられ、前記ベルトに沿って移動可能な支持部と、
を備えた請求項１に記載のエレベーター保守作業用の小物受け具。
【請求項３】
一端が前記回収部の前側に接続され、他端が保守作業者の右腕に繋がれる右腕用紐部と、
一端が前記回収部の前側に接続され、他端が保守作業者の左腕に繋がれる左腕用紐部と、
前記回収部の上面の右端且つ前記右腕用紐部の接続箇所よりも後側に設けられた右側回転部と、
前記回収部の上面の左端且つ前記左腕用紐部の接続箇所よりも後側に設けられた左側回転部と、
を備え、
前記回収部のうち前記右側回転部及び前記左側回転部を通る軸よりも前側の部分は、当該軸を中心として下向きに回転するように折り畳まれる請求項１又は２に記載のエレベーター保守作業用の小物受け具。
【請求項４】
前記上部開口の前端部を覆う前側返し部を備えた請求項１から３のいずれか１項に記載のエレベーター保守作業用の小物受け具。
【請求項５】
前記回収部の下方に位置し、前記回収部の底部に形成された底部開口を介して前記回収部の内側に通じる捕集部と、
前記底部開口の少なくとも一部を覆い、下向きに力が加えられた場合に物体が前記底部開口を上から下に通過可能な蓋部と、
を備えた請求項１から４のいずれか１項に記載のエレベーター保守作業用の小物受け具。
【請求項６】
前記回収部は、網状に形成された請求項１から５のいずれか１項に記載のエレベーター保守作業用の小物受け具。
【発明の詳細な説明】
【技術分野】
【０００１】
本発明は、エレベーター保守作業用の小物受け具に関する。
【背景技術】
【０００２】
高所でエレベーターの保守作業が行われる場合、物品の落下防止措置が取られる。下記特許文献１には、エレベーターの保守作業中に部品及び工具等が昇降路内に落下することを防止する装置が記載されている。
【先行技術文献】
【特許文献】
【０００３】
【特許文献１】特開平５−７００７１号公報
【発明の概要】
【発明が解決しようとする課題】
【０００４】
特許文献１に記載の装置は、かごドアと乗場ドアとの隙間に設置して使用される。つまり、当該装置は、保守作業を行う箇所が変わるたびに設置する必要がある。このため、当該装置を使用する場合、煩雑な準備が必要となる。
【０００５】
本発明は、上記の課題を解決するためになされた。その目的は、煩雑な準備を必要とせず、保守作業中に部品及び工具等が落下することを防止できるエレベーター保守作業用の小物受け具を提供することである。
【課題を解決するための手段】
【０００６】
本発明に係るエレベーター保守作業用の小物受け具は、袋状に形成され、上部開口を有し、上部開口が保守作業者の頭部よりも下方且つ当該保守作業者の胴体よりも前方に位置する状態で当該保守作業者の体に支持される回収部を備える。
【発明の効果】
【０００７】
本発明において、回収部は、保守作業者の体に支持される。このため、本発明によれば、煩雑な準備を必要とせず、保守作業中に部品及び工具等が落下することを防止することができる。
【図面の簡単な説明】
【０００８】
【図１】エレベーターの保守作業の一例を示す側面図である。
【図２】本発明の実施の形態１における小物受け具の第１の側面図である。
【図３】本発明の実施の形態１における小物受け具の第１の上面図である。
【図４】本発明の実施の形態１における小物受け具の第２の側面図である。
【図５】本発明の実施の形態１における小物受け具の第２の上面図である。
【図６】本発明の実施の形態２における小物受け具の第１の垂直断面図である。
【図７】本発明の実施の形態２における小物受け具の第２の垂直断面図である。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
図１は、エレベーターの保守作業の一例を示す側面図である。図１は、かご１が乗場出入口２の付近に停止している状態を示している。乗場出入口２は、乗場と昇降路とを隔てる壁３に形成された開口である。
【００１１】
図１に示すように、かご１には、かごドア４、かごドアハンガー５及び戸開閉装置６が設けられている。かごドア４は、かごドアハンガー５の下部に固定されている。戸開閉装置６は、かご枠柱、梁及び桁等を介して、かごドアハンガー５の上方に配置されている。乗場側には、乗場ドア７及び乗場ドアハンガー８が設けられている。乗場ドア７は、乗場ドアハンガー８の下部に固定されている。
【００１２】
エレベーターの保守作業者は、例えば、図１に示すように、かご１の上に乗った状態で昇降路内の機器等の保守作業を行う。エレベーターの保守作業者は、例えば、乗場出入口２を介して、乗場でかご１の機器等の保守作業を行う。エレベーターの保守作業者は、例えば、機械室から昇降路に通じる開口を介して、機械室で昇降路内の機器等の保守作業を行う。実施の形態１における小物受け具は、例えば、上記のような高所での保守作業の際に使用される。
【００１３】
図２は、実施の形態１における小物受け具の第１の側面図である。図３は、実施の形態１における小物受け具の第１の上面図である。図２及び図３は、保守作業者によって使用中である小物受け具９の第１の状態を示している。
【００１４】
以下、特に断りのない限り、小物受け具９についての説明における前後方向及び左右方向は、小物受け具９を使用中の保守作業者を基準として表す。例えば、図２及び図３における左側は、「前側」として表される。例えば、図２における手前側及び図３における下側は、「左側」として表される。
【００１５】
図２及び図３に示すように、小物受け具９は、回収部１０、ベルト１１、支持部１２、右腕用紐部１３、左腕用紐部１４、留め具１５、右側回転部１６、左側回転部１７、前側返し部１８及び後側返し部１９を備える。回収部１０は、例えば、エレベーターの保守作業中に部品及び工具等の小物を受け止めるために使用される。
【００１６】
回収部１０は、袋状に形成され、上部開口２０を有している。上部開口２０は、回収部１０の上面の一部又は全体を占める。回収部１０は、例えば、少なくとも上部開口２０の縁部に沿って設けられた骨組みを有している。回収部１０は、空気が通過できるように、例えば、網状に形成されている。回収部１０が網状に形成される場合、網目の大きさは、例えば、エレベーターが備える機器の部品が通過しない大きさに設定される。
【００１７】
ベルト１１は、保守作業者の腰に装着される。支持部１２の一端部は、回収部１０の後端部に固定されている。支持部１２の一端部は、例えば、回収部１０の上部開口２０に沿った骨組みに固定されている。支持部１２の他端部は、ベルト１１に取り付けられている。
【００１８】
回収部１０、ベルト１１及び支持部１２は、例えば、保守作業者がベルト１１を装着した状態で、上部開口２０が上向きの状態を保持可能な構造に形成されている。当該構造は、例えば、剛性の高い材料で回収部１０、ベルト１１及び支持部１２を形成することで実現されてもよい。当該構造は、例えば、保守作業者の肩又は首等に掛けて回収部１０の重量を支える補助ベルトを設けることで実現されてもよい。
【００１９】
ベルト１１及び支持部１２は、例えば、ベルト１１に沿って支持部１２が左右に移動可能な構造に形成されてもよい。つまり、回収部１０は、上下方向から見て、保守作業者の体を中心として回転可能であってもよい。回収部１０が回転可能な角度範囲は、例えば、ベルト１１の正面方向を基準として、左に９０度から右に９０度までの範囲である。
【００２０】
右腕用紐部１３の一端は、回収部１０の前側且つ右側に接続されている。左腕用紐部１４の一端は、回収部１０の前側且つ左側に接続されている。右腕用紐部１３の一端及び左腕用紐部１４の一端は、例えば、上部開口２０の縁部に接続されている。左腕用紐部１４の接続箇所は、例えば、回収部１０の左右方向における中心を通る軸を対称軸として、右腕用紐部１３の接続箇所と線対称な関係にある。右腕用紐部１３の他端及び左腕用紐部１４の他端のそれぞれには、留め具１５が取り付けられている。右腕用紐部１３の他端は、留め具１５を介して保守作業者の右腕に繋がれる。左腕用紐部１４の他端は、留め具１５を介して保守作業者の左腕に繋がれる。
【００２１】
留め具１５は、例えば、保守作業者の手首に嵌められるように、環状に形成されてもよい。留め具１５は、例えば、保守作業者の衣服の袖に取り付けられる構造に形成されてもよい。
【００２２】
右側回転部１６は、回収部１０の上面の右端且つ右腕用紐部１３の接続箇所よりも後側に設けられている。左側回転部１７は、回収部１０の上面の左端且つ左腕用紐部１４の接続箇所よりも後側に設けられている。右側回転部１６及び左側回転部１７は、例えば、上部開口２０の縁部に接続されている。左側回転部１７の位置は、例えば、回収部１０の左右方向における中心を通る軸を対称軸として、右側回転部１６の位置と線対称な関係にある。右側回転部１６及び左側回転部１７は、例えば、上部開口２０に沿った骨組みに取り付けられたヒンジ等の部品である。
【００２３】
右側回転部１６及び左側回転部１７は、例えば、回収部１０の左右方向に沿った軸を中心として回転可能である。つまり、回収部１０の上面のうち右側回転部１６及び左側回転部１７の双方を通る軸よりも前側の部分は、左右方向から見て、当該軸を中心として回転可能である。当該部分が回転可能な角度範囲は、例えば、回収部１０の上面のうち当該軸よりも後側の部分に沿った方向を基準として下方に９０度までの範囲である。
【００２４】
前側返し部１８及び後側返し部１９は、例えば、回収部１０の上面に沿って設けられた平らな部材である。前側返し部１８は、上部開口２０の前端部を覆っている。後側返し部１９は、上部開口２０の後端部を覆っている。つまり、回収部１０の上面のうち前側返し部１８及び後側返し部１９が配置されていない部分は、開放されている。
【００２５】
前側返し部１８の前端は、例えば、上部開口２０の前側の縁部と重なっている。前側返し部１８の後端は、例えば、右側回転部１６及び左側回転部１７の双方を通る軸よりも前方に位置している。後側返し部１９の後端は、例えば、上部開口２０の後側の縁部と重なっている。後側返し部１９の前端は、例えば、上部開口２０のうち前後方向の中心よりも後方に位置している。
【００２６】
図４は、実施の形態１における小物受け具の第２の側面図である。図４は、実施の形態１における小物受け具の第２の上面図である。図４及び図５は、保守作業者によって使用中である小物受け具９の第２の状態を示している。
【００２７】
図２及び図３に示す第１の状態では、右腕用紐部１３及び左腕用紐部１４が張っている。これに対し、図４及び図５に示す第２の状態では、右腕用紐部１３及び左腕用紐部１４が弛んでいる。第２の状態では、回収部１０のうち右側回転部１６及び左側回転部１７の双方を通る軸よりも前側の部分は、上向きに引っ張られていない。このため、当該部分は、図４及び図５に示すように、当該軸を中心として下向きに回転するように折り畳まれている。
【００２８】
図２及び図３に示す保守作業者が手を下に動かすと、小物受け具９は、図４及び図５に示す第２の状態となる。図４及び図５に示す保守作業者が手を上に動かすと、小物受け具９は、図２及び図３に示す第１の状態となる。このように、右側回転部１６及び左側回転部１７が設けられていることにより、回収部１０の形状は、保守作業者の手の動きに連動して変化する。
【００２９】
実施の形態１において、エレベーター保守作業用の小物受け具９は、回収部１０を備える。回収部１０は、袋状に形成され、上部開口２０を有し、上部開口２０が保守作業者の頭部よりも下方且つ当該保守作業者の胴体よりも前方に位置する状態で当該保守作業者の体に支持される。つまり、小物受け具９は、保守作業者とともに移動する。このため、実施の形態１によれば、煩雑な準備を必要とせず、保守作業中に部品及び工具等が落下することを防止することができる。その結果、エレベーターの保守作業において、小物の落下防止措置を取りつつ作業効率を向上させることができる。
【００３０】
実施の形態１において、支持部１２は、一端部に回収部１０が固定され、他端部がベルト１１に取り付けられ、ベルト１１に沿って移動可能である。このため、実施の形態１によれば、保守作業者は、保守作業を行う箇所又は作業スペースの広さ等に応じて、回収部１０の位置を適宜調整することができる。
【００３１】
実施の形態１において、回収部１０のうち右側回転部１６及び左側回転部１７の双方を通る軸よりも前側の部分は、保守作業者の手の動きに連動して、当該軸を中心として下向きに回転するように折り畳まれる。つまり、回収部１０は、前後方向における長さが短い状態に変形可能である。このため、実施の形態１によれば、エレベーターの機器及び昇降路内の構造物等が有する突起に回収部１０が引っ掛かることを抑制することができる。
【００３２】
実施の形態１において、前側返し部１８は、上部開口２０の前端部を覆っている。後側返し部１９は、上部開口２０の後端部を覆っている。このため、実施の形態１によれば、保守作業者が前後に傾いた姿勢をとった際に、回収部１０内に回収された部品等が上部開口２０からこぼれ出ることを防止することができる。
【００３３】
実施の形態１において、回収部１０は、例えば、網状に形成されている。このため、保守作業中に風が吹いた場合に回収部１０が風をはらむことを防止できる。これにより、特に高所での保守作業の安全性を向上させることができる。
【００３４】
実施の形態２．
以下、実施の形態１との相違点を中心に、小物受け具９の構成を説明する。実施の形態１と同一又は相当する部分には同一の符号を付して、一部の説明を省略する。
【００３５】
図６は、実施の形態２における小物受け具の第１の垂直断面図である。図７は、実施の形態２における小物受け具の第２の垂直断面図である。
【００３６】
図６及び図７に示すように、実施の形態２において、回収部１０の底部には、底部開口２１が形成されている。底部開口２１は、例えば、回収部１０の内側で最も深い箇所に形成されている。実施の形態２において、小物受け具９は、捕集部２２及び蓋部２３を備えている。
【００３７】
捕集部２２は、例えば、回収部１０よりも小さい袋状に形成されている。捕集部２２は、回収部１０の下方に位置している。捕集部２２は、底部開口２１を介して回収部１０にの内側に通じている。捕集部２２は、回収部１０から取り外し可能であってもよい。
【００３８】
蓋部２３は、力を加えられていない状態において、底部開口２１の少なくとも一部を覆っている。蓋部２３は、下向きに力が加えられた場合、物体が底部開口２１を上から下に通過可能となるように、下向きに変形又は回転する。蓋部２３は、例えば、下向きにのみ物体を通過させる弁であってもよい。蓋部２３は、例えば、ゴム又は合成樹脂等で形成された菊割れ蓋であってもよい。
【００３９】
図６は、部品が上部開口２０から回収部１０の内側に落ちる様子を示している。当該部品は、図７に示すように、蓋部２３を下向きに通過する。このため、実施の形態２によれば、回収部１０内に回収された部品等は、捕集部２２内に集まる。その結果、実施の形態１と同様の効果が得られるとともに、回収部１０内に回収された部品等が上部開口２０から飛び出ることをより確実に防止することができる。
【００４０】
実施の形態１及び２において、回収部１０は、例えば、網状に形成されず、且つ空気が通過しない材料で形成されてもよい。この場合であっても、例えば、回収部１０の側面に複数の穴が形成されていれば、保守作業時に受ける風の影響を低減することができる。
【００４１】
実施の形態１及び２において、回収部１０は、例えば、内側の面にマグネットシートが設けられたものでもよい。この場合、回収部１０内に回収された部品等が上部開口２０から飛び出ることをより確実に防止することができる。
【００４２】
実施の形態１及び２において、回収部１０は、例えば、上部開口２０が閉じた状態に変形可能な構造に形成されてもよい。回収部１０は、例えば、上部開口２０が開いた状態及び閉じた状態を維持するためのロック機構を有してもよい。回収部１０は、例えば、全体が折り畳み可能に形成されてもよい。回収部１０は、折り畳まれた状態でベルト１１又は支持部１２等に収納可能であってもよい。これらの場合、容易に小物受け具９の運搬及び保管をすることができる。
【００４３】
実施の形態１及び２において、支持部１２は、例えば、テレスコピック機構等によって伸縮可能な構造に形成されてもよい。この場合、保守作業者は、自身の体格又は作業スペースの広さ等に応じて、回収部１０の位置を適宜調整することができる。
【００４４】
実施の形態１及び２において、右腕用紐部１３及び左腕用紐部１４は、例えば、伸縮可能に形成されてもよい。右腕用紐部１３及び左腕用紐部１４は、例えば、弾性を有するゴム等の材料で形成されてもよい。右腕用紐部１３及び左腕用紐部１４は、例えば、カールコードと同様の形状に形成されてもよい。これらの場合、小物受け具９の使用中に保守作業者が手を動かせる範囲を広げることができる。
【００４５】
実施の形態１及び２において、右側回転部１６及び左側回転部１７は、例えば、回転角度を固定する角度ロック機能を有してもよい。角度ロック機能は、小物受け具９を少なくとも第１の状態及び第２の状態に維持可能なものである。この場合、回収部１０の形状が保守作業者の手の動きに連動して変化しないようにすることができる。
【００４６】
実施の形態１及び２において、回収部１０は、上面のうち右側回転部１６及び左側回転部１７の双方を通る軸よりも前側の部分に設けられたワイヤーを有してもよい。当該ワイヤーは、例えば、当該軸に沿って張られた横向きワイヤー及び横向きワイヤーの中心から上部開口２０の縁部に向かって張られた複数の放射状ワイヤーを含む。この場合、小物受け具９が第２の状態であっても、エレベーターの機器及び昇降路内の構造物等が有する突起に回収部１０が引っ掛かることを抑制できる。
【００４７】
実施の形態１及び２において、支持部１２は、例えば、保守作業者の衣服の袖に取り付け可能に形成されてもよい。この場合、例えば、工具を持つ側の手を通す袖に支持部１２を取り付けておけば、保守作業者が取り落した工具をより確実に回収部１０で受け止めることができる。
【符号の説明】
【００４８】
１  かご
２  乗場出入口
３  壁
４  かごドア
５  かごドアハンガー
６  戸開閉装置
７  乗場ドア
８  乗場ドアハンガー
９  小物受け具
１０  回収部
１１  ベルト
１２  支持部
１３  右腕用紐部
１４  左腕用紐部
１５  留め具
１６  右側回転部
１７  左側回転部
１８  前側返し部
１９  後側返し部
２０  上部開口
２１  底部開口
２２  捕集部
２３  蓋部
【図１】
2018020857.tif 000003
【図２】
2018020857.tif 000004
【図３】
2018020857.tif 000005
【図４】
2018020857.tif 000006
【図５】
2018020857.tif 000007
【図６】
2018020857.tif 000008
【図７】
2018020857.tif 000009